(57)【特許請求の範囲】
【請求項１】
両開き扉の子扉に取り付けて使用し、ハンドルを操作して上ボルト(10)と下ボルト(12)を子扉の上下に突き出して戸締まりする金具に、親扉の錠の錠受け穴(4)を塞さぐ受け穴塞ぎスライダー(3)を組み合わせて連動させる子扉締まり金具で、ハンドルの操作に連動して受け穴塞ぎスライダーが動き、上下ボルトを引っ込めた時は錠受けの受け穴を受け穴塞ぎスライダーが塞ぐ事で親扉の錠が施錠できず、上下ボルトを突き出して戸締まりした時は錠受けの穴を塞いでいる受け穴塞ぎスライダーが開く事で、親扉の錠のデットボルト(13)が受け穴に入って施錠でき、施錠中は親扉のデットボルトが受け穴塞ぎスライダーの動きを防げて子扉を開けられない事を特徴とする錠受け連動子扉ボルト。
【請求項２】
両開き扉の子扉に取り付けて使用し、ハンドルを操作して上ボルト（１０）と下ボルト（１２）を子扉の上下に突き出して戸締まりする金具に、受け穴塞ぎスライダー（３）の役割を兼ねる錠受け（２２）を組み合わせて連動させる子扉締まり金具で、ハンドルの操作に連動して錠受け（２２）が上下にスライドして移動し、上下ボルトを引っ込めた時は錠受け（２２）の穴（２３）が親扉の錠のデッドボルト（１３）の位置から移動する事で親扉の錠の施錠ができず、上下ボルトを突き出して戸締まりした時は錠受け（２２）の穴（２３）が親扉の錠のデッドボルト（１３）の位置に移動する事で、親扉の錠のデットボルト（１３）が錠受け穴（２３）に入って施錠でき、施錠中は親扉のデットボルトが錠受け（２２）の動きを妨げて子扉を開けられない事を特徴とする錠受け連動子扉ボルト
【請求項３】
両開き扉の子扉に取り付けて使用し、ハンドルを操作して上ボルト（１０）と下ボルト（１２）を子扉の上下に突き出して戸締まりする金具に、受け穴塞ぎ（１７）とカム受け穴（１８）を持つハンドル軸カム（１６）を組み合わせて連動させる子扉締まり金具で、ハンドルの操作に連動してハンドル軸カム（１６）が回転し、上下ボルトを引っ込めた時は受け穴塞ぎ（１７）が錠受け穴（２０）位置に移動する事で錠受け穴を塞いで親扉の錠の施錠ができず、上下ボルトを突き出して戸締まりした時はカム受け穴（１８）が錠受けの穴位置に移動する事で、錠受けの穴を開き、親扉の錠のデットボルト（１３）が錠受け穴（２０）に入って施錠でき、施錠中は親扉のデットボルトがハンドル軸カム（１６）の回転を妨げて子扉を開けられない事を特徴とする錠受け連動子扉ボルト
【発明の詳細な説明】
【０００１】
【発明の属する技術分野】
両開き扉で、子扉の戸締まりを親扉の錠と連動させて行う子扉の錠である。
【０００２】
【従来の技術】
両開きの扉の子扉を戸締まりする金物にフランス落としと、フラッシュボルトと、子扉用グレモン締まりがある。各々の特徴と問題点を説明する。
フランス落としは子扉の戸先の上端と下端に取り付ける。親扉が閉じている時は操作できず、親扉を開いて上端と下端のフランス落としを操作する。長所は親扉が施錠中は操作できない為に施錠を助ける。短所は、非常時で子扉を解放する時にパニック状況下では操作しにくい事と、掛け忘れて親扉の錠を施錠すると扉は押しただけで開いてしまう。フラッシュボルトはフランス落としの自動型のようなものであり、親扉が閉じると子扉のフラッシュボルトが突き出して子扉の戸締まりをする。長所はフランス落としと同様に親扉の錠の施錠を助ける事で、短所はフラッシュボルトの遊びによって閉じた扉が開閉方向にガタガタする事と、コジ開けや破壊に対して強度が弱い事と、親扉が開くと自動的にフラッシュボルトが解除され、子扉は押しただけで開いてしまい、子扉の係止が出来ない事である。
子扉用グレモン締まりはハンドルの操作で子扉の上下にロッド棒を突き出し、引っ込める事で外観と動作は本発明に似ているが、短所は親扉と連動しない為に、子扉用グレモン締まりで子扉を締め、親扉を閉じて施錠した状態で子扉用グレモン締まりを解放すると施錠したままで扉を押すと開いてしまい、施錠の助けにはならない。親扉にグレモン錠を使用しなければ子扉用グレモン締まりは使えない。長所は本発明に似て操作し易い位置にあるハンドルを回して扉の上下を強力に戸締まりできる事できる。フラッシュボルト以外の子扉締まりは、締め忘れて親扉を閉じて親扉の錠を施錠すると、扉を押しただけで施錠したまま扉が開いてしまう問題がある。
【０００３】
【発明が解決しようとする課題】
両開き扉の子扉を、回す又は押す又は引くの一動作だけで戸締まりし、また解除する事。小さい力で強力に作動し、扉を強固に締めつけて固定する事。コジ開けや破壊に対して大きい強度を持つ事。子扉を閉めていない時は親扉の錠を施錠できない事。親扉の錠が施錠中は子扉の締まりを解除できない事。以上の全てを同時に解決する事。
【０００４】
【課題を解決するための手段】
大型のハンドルを回す、押す、引く事で強力な上ボルトと下ボルトを子扉の上下に突き出し、枠の受けに入れる事で強力に子扉の戸締まりをし、一つの動作で戸締まりや解除を行うようにした。
上下ボルトを動かすハンドルに連動して受け塞ぎスライダーを動かす事で、上下ボルトが引っ込んでいる時は錠受け穴を塞いで親扉の錠が施錠出来なくした。上下ボルトが突き出して子扉を戸締まりしている時は錠受け穴を開いて親扉の錠が施錠できるようにした。
親扉の錠が施錠中は錠のデットボルトにより受け穴塞ぎスライダーの動きを止められて子扉の締まりを解除できなくした。
【０００５】
【発明の実施の形態】
図面に基づいて説明する。図１は請求項１記載の錠受け連動子扉ボルトで子扉を戸締まりして親扉の錠を施錠し、錠のデットボルト(13)が錠受け穴(4)から受け穴塞ぎスライダー(3)のスライダー受け穴(5)に入っている事を示す。ハンドルを操作して上ボルト(10)と下ボルト(12)が子扉の上下に突き出し、子扉の戸締まりをすると同時にスライダーカム(7)が受け穴塞ぎスライダーを上に持ち上げて親扉の錠の施錠が可能になる。この状態ではデットボルト(13)が受け穴塞ぎスライダーの動きを妨害している為に錠受け連動子扉ボルトを動かす事はできない。すなわち子扉を開ける事はできない。親扉の錠を解錠する事で、デットボルトが引っ込み、操作が可能となり、子扉を開ける事ができる。
図２は錠受け連動子扉ボルトの状態毎の部品の動きを説明する縦断面図である。Ａは上下ボルトを引っ込め、受け穴塞ぎスライダーが錠受け穴(4)を塞いだ図である。この状態では親扉の施錠はできない。Ｂは上下ボルトを突き出し、錠受け穴の塞ぎを解いた図である。この状態で施錠が可能となる。Cは施錠状態である。この状態では受け塞ぎスライダーは動かす事ができず、錠受け連動子扉ボルトは操作できず、子扉を開く事ができない。
図３は図２の受け塞ぎスライダーと錠受け穴の動きを説明する割形斜視図である。錠受けを割って示している。Aは図２Aの状態であり、Bは図２Ｂの状態である。
図４は錠受け穴(20)を、ハンドル軸に組み付けた受け穴塞ぎ(17)を設けたハンドル軸カム(16)で開閉する請求項３を説明するものである。Aは錠受け穴(20)を受け穴塞ぎで塞いだ図であり、Bは開いたものである。
図５は受け穴塞ぎスライダーを錠受け(22)に代え、錠受けベース(21)と組み合わせた請求項２の説明図である。Aは錠受け(22)と錠受けベース(21)を組み合わせたものを前方から斜視したもので、錠受け穴(23)は下がった位置にあり、この位置では親扉の錠は施錠できない。BはAの後方から斜視したものである。上下ボルトに連動し、錠受けを上下に動かして錠受け穴位置を上下に動かす事で、錠受け穴が下にある時は親扉の錠が施錠できず、上に上がった時に施錠できる。錠受け穴が塞さがれない事で指を挟む危険が解消される。請求項１記載の錠受け(2)の錠受け穴(4)を上下に大きく開けたものでも同じ効果となる。
図６は押して上下ロッドを解除し、受け穴塞ぎスライダーを動かす請求項１記載の錠受け連動子扉ボルトの変形例である。
図１ではロッドカム(8)、上下ロッド(9)(11)、上下ボルト(10)(12)を扉の表面に図示しているが扉の内部に納めても良く、ハンドル(6)は左右回転構造となっているが、上下に上げ下げする構造でも同様に動かす事ができる。錠受け連動子扉ボルトの最大の特徴は、子扉の上下ボルトを突き出していない解除状態では親扉の錠を施錠できず、上下ボルトを突き出して子扉を戸締まりしている時だけ施錠でき、親扉の錠を施錠している間は錠受け連動子扉ボルトの操作ができずに子扉を開けられない事である。その１式が請求項１であり、親扉と子扉の操作を連動させる変形機構が請求項２と３である。
ハンドルの向きはハンドル軸の断面形状を四角や六角にする事により、ハンドル軸受けに差し込む角度を変えて向きを変える。ハンドルの回転角度に40°前後の遊び角度を設けることでハンドルの向きを常に水平に向ける事もできる。
【０００６】
【発明の効果】
錠受け連動子扉ボルトを、外部回り出入り口の両開き扉の子扉に取り付ける。建物の外回りでは常に風圧があり、よほどしっかりした戸締まりのできる金物でないと風の為に扉がガタガタと動く。フラッシュボルトではガタつきが多く、フランス落としでもガタつきが見られる。両方共に扉を締め付けて固定する機能は無い。錠受け連動子扉ボルトを取り付けた扉ではしっかりと強力に扉を締め付けて戸締まりできる。
火災時の避難に於いては、親扉の錠を解除した後はハンドルを回しただけで子扉を開けることができる。フラッシュボルトでは子扉を解除する操作が不要のためより避難しやすいが、平時の親扉の開閉に合わせて子扉も開いてしまい、不便である。フランス落としでは戸先の上と下の操作が必要で、避難には向かない。それ以外の金物で子扉を戸締まりした場合は、親扉の錠を施錠していても子扉の締まりを解除して、扉を開く方向に押せば親子扉共に開いてしまう。また子扉の締まりを忘れて親扉を閉じ、施錠した場合も同様に扉を押すと施錠したまま扉が開いてしまう。親子の両扉にグレモン締まりを取り付けた場合は、子扉のグレモン締まりを解除しても親扉が開く事は無いが子扉の締め付けは無くなる。子扉のグレモン締まりにもシリンダー錠を取り付けてキーで操作すれば解決するが、親子扉の両方をキーで操作する必要が生ずる。グレモン締まり並の締め付け強度を持つ錠受け連動子扉ボルトを子扉に取り付ける事で全てが解決する。
【図面の簡単な説明】
【図１】請求項１記載の錠受け連動子扉ボルトを子扉に取り付け、施錠した状態を示す割形斜視図である。
【図２】  A．上下ボルトを引っ込めた解錠状態を示す図である。
B．上下ボルトを突き出した解錠状態を示す図である。
Ｃ．上下ボルトを突き出した施錠状態を示す図である。
【図３】Ａ．受け塞ぎスライダーの説明で錠受け穴を塞いだ図２Aの状態を示す。
B．受け塞ぎスライダーの説明で、錠受け穴を開いた図２Ｂの状態を示す。
【図４】  A．請求項３記載の受け穴塞ぎの付いたハンドル軸カムで錠受け穴を塞いだ状態を示す。
Ｂ．受け穴塞ぎの付いたハンドル軸カムで錠受け穴を開いた状態を示す。
【図５】  A．請求項２記載の受け穴塞ぎスライダーを錠受けに代えた錠受けの前方斜視図である。
Ｂ．受け穴塞ぎスライダーを錠受けに代えた錠受けの後方斜視図である。
【図６】押して上下ボルトを引っ込める請求項１記載の錠受け連動子扉ボルトの変形例の割形斜視図である。
【図７】A．請求項１記載の受け穴塞ぎスライダーを回転させ錠受け穴を塞ぐ変形例である。
Ｂ．回転して錠受け穴を塞いだ図である。
【図８】A．請求項１記載の受け塞ぎスライダーを前後に動かして錠受け穴を塞ぐ変形例である。
Ｂ．前に動かして錠受け穴を塞いだ図である。
【符号の説明】
１．両開き扉の子扉
２．錠受け
３．受け穴塞ぎスライダー
４．錠受け穴
５．スライダー受け穴
６．ハンドル
７．スライダーカム
８．ロッドカム
９．上ロッド
１０．上ボルト
１１．下ロッド
１２．下ボルト
１３．親扉の錠のデットボルト
１４．ハンドル軸
１５．トロカバー
１６．ハンドル軸カム
１７．受け穴塞ぎ
１８．カム受け穴
１９．錠受け
２０．錠受け穴
２１．錠受けベース
２２．錠受け
２３．錠受け穴
２４．上下作動幅
２５．錠受けベース開口
２６．ハンドル
２７．ロッドカム
２８．受け穴塞ぎスライダー
２９．スライダー受け穴
３０．ハンドル軸
３１．スライダーカム
３２．錠受け
３３．錠受け穴
３４．受け塞ぎスライダー
３５．受け塞ぎ回転軸
３６．ハンドル軸
３７．スライダーカム
３８．受け塞ぎバー
３９．錠受け
４０．錠受け穴
４１．受け塞ぎスライダー
【図１】
0003799386.tif 000002
【図２】
0003799386.tif 000003
【図３】
0003799386.tif 000004
【図４】
0003799386.tif 000005
【図５】
0003799386.tif 000006
【図６】
0003799386.tif 000007
【図７】
0003799386.tif 000008
【図８】
0003799386.tif 000009